(57)【要約】【課題】本発明は、被収納体を長期間保冷することが可能であり、さらに輸送後の空の状態のときは、コンパクトに展開することができるような保冷用収納装置に関する。【解決手段】断熱シートで形成され、可撓性を有するとともに、上面に内部に被収納体を収納するための開口部が形成された略矩形の収納体２と、収納体２の開口部を構成する背面１１側の開口端にヒンジ手段を介して着脱可能に設けられ、開口部を開閉する断熱材が内包された蓋体３とを備え、収納体２には、正面１２及び背面１１の内側に板状の断熱材が配設されるとともに、右側面１４及び左側面１３並びに底面１５の内側に着脱可能な状態で、板状の断熱材が配設され、底面１５と右側面１４及び底面１５と左側面１３を構成する断熱シートは、それぞれが連続するシート体で構成され、それぞれのシート体は底面１５で接合されてなる。【選択図】  図１
2005008167.tif 000002
【特許請求の範囲】
【請求項１】
断熱シートで形成され、可撓性を有するとともに、上面に内部に被収納体を収納するための開口部が形成された略矩形の収納体と、
上記収納体の上記開口部を構成する背面側の開口端にヒンジ手段を介して着脱可能に設けられ、上記開口部を開閉する断熱材が内包された蓋体とを備え、
上記収納体には、正面及び背面の内側に板状の断熱材が配設されるとともに、右側面及び左側面並びに底面の内側に着脱可能な状態で、板状の断熱材が配設され、
上記底面と右側面及び上記底面と左側面を構成する断熱シート又は上記底面と正面及び上記底面と背面を構成する断熱シートは、それぞれが連続するシート体で構成され、
上記それぞれのシート体は、底面で接合されてなる保冷用収納装置。
【請求項２】
断熱シートで形成され、可撓性を有するとともに、上面に内部に被収納体を収納するための開口部が形成された略矩形の収納体と、
上記収納体の上記開口部を構成する背面側の開口端にヒンジ手段を介して着脱可能に設けられ、上記開口部を開閉する断熱材が内包された蓋体とを備え、
上記収納体には、正面及び背面の内側に板状の断熱材が配設されるとともに、右側面及び左側面並びに底面の内側に着脱可能な状態で、板状の断熱材が配設され、
上記正面、底面及び背面、上記右側面、底面及び左側面、又は、上記正面、底面、背面、右側面及び左側面は、連続したシート体で構成されている保冷用収納装置。
【請求項３】
上記収納体の右側面と左側面の内側に着脱可能に配設される断熱材は、正面及び背面の内側に配設される断熱材の内側の主面の周縁部に端面が当接するように配設される請求項１又は請求項２記載の保冷用収納装置。
【請求項４】
上記正面、背面、右側面及び左側面の内側に配設される断熱材は、上記底面に配設される断熱材の端面に、それぞれの主面の周縁部が当接するように配設される請求項３に記載の保冷用収納装置。
【請求項５】
上記収納体の開口部の正面又は背面側開口端の何れか一方には、可撓性を有する第１の帯状体によって保冷剤が取り付けられ、他方の開口端には、先端に、上記第１の帯状体と連結される連結具が設けられた第２の帯状体が設けられ、
上記保冷剤は、上記第１の帯状体と上記第２の帯状体が上記連結具によって連結されたとき上記開口部を跨ぐように吊り下げられる請求項３又は請求項４記載の保冷用収納装置。
【請求項６】
上記蓋体の内側には、保冷剤が配設される請求項１乃至請求項５の内いずれか１に記載の保冷用収納装置。
【請求項７】
上記収納体の右側面及び左側面には、断熱材を右側面及び左側面に密着保持させる差し込み部が設けられている請求項１乃至請求項６の内いずれか１に記載の保冷用収納装置。
【請求項８】
上記ヒンジ手段は、上記収納体の背面側開口端に設けられた第１の回動支持片と第２の回動支持片と、
上記蓋体の背面側側縁に設けられた被取付片とを有し、
上記蓋体は、上記被取付片が上記第１及び第２の回動支持片によって挟み込まれ、面ファスナによって上記収納体に回動支持される請求項１乃至７の内いずれか１に記載の保冷用収納装置。
【請求項９】
上記ヒンジ手段は、さらに、上記蓋体を上記収納体の上面との内角が鈍角をなすように保持する保持手段と、
上記蓋体を、閉蓋時に上記収納体と密着させる密着手段とを有し、
上記密着手段は、上記蓋体の正面側側縁、右側縁及び左側縁に設けられ、上記収納体の正面、右側面及び左側面の開口端を覆う舌片と、該舌片の内面に設けられた面ファスナからなり、
上記蓋体の右側縁及び左側縁に設けられた舌片は、正面側側縁の延長方向に上記蓋体の正面側側縁に設けられた舌片に接合される接合片と該接合片の内面に面ファスナとが設けられ、
上記保持手段は、上記蓋体の右側縁及び左側縁に設けられた舌片の背面側側縁の延長方向に延設され、上記収納体の右側面及び左側面の背面側に接合され、上記蓋体が上記開口部を開放する方向に傾倒することを防止する第１の回動規制片と、この第１の回動規制片に連続して設けられ、上記収納体の背面の上記開口端近傍の右側面側及び左側面側に接合され、上記蓋体が上記開口部を閉塞する方向に傾倒することを防止する第２の回動規制片とを有する請求項８に記載の保冷用収納装置。
【発明の詳細な説明】
【０００１】
【発明の属する技術分野】
本発明は、折り畳みが可能な保冷用収納装置に関する。
【０００２】
【従来の技術】
従来より、肉や野菜等の生鮮食品及びアイスクリーム等の冷凍菓子を収納して輸送するために、長時間保冷効果を有する保冷用収納装置が必要である。保冷用収納装置には、折り畳みが不可能なものと、折り畳みが可能なものとがある。折り畳みが不可能な保冷用収納装置は、全体的に剛性を有する外装材と、その内面に配設される断熱材と、保冷剤を収納可能とする蓋体とを有する。折り畳みが可能な保冷用収納装置は、ある程度の可撓性を有しており、断熱材と、保冷剤を収納可能とする蓋体とを有する。
【０００３】
【発明が解決しようとする課題】
ところで、折り畳みが不可能な保冷用収納装置は、重量も重く、また使用しないときに嵩が大きく不便である。また、繰り返し行われる荷卸し作業により、蓋体及び蓋体を本体に取り付けるヒンジ部が荷重により負荷がかかり損傷を受け易い等の問題があった。また、折り畳みが可能なものは、組立精度が低く、内部の冷気が外に逃げ易く、保冷効率が悪い等の問題があった。また、保冷剤を設けた蓋体及び蓋体を取り付けるヒンジ部に、繰り返しの開閉動作の際の荷重により、蓋部及びヒンジ部が損傷・保冷効率が低下する等の問題があった。さらに、蓋部及びヒンジ部の損傷により、保冷用収納装置全体を取り換える必要があった。
【０００４】
そこで、本発明は、保冷用収納装置を構成するシート体の継ぎ目を減らすことにより、冷気が外に逃げにくく、保冷効果の高い保冷用収納装置を提供することを目的とする。
【０００５】
また、本発明は、ヒンジ部の強度を高め、蓋部にかかる荷重を軽減することで、ヒンジ部の劣化を少なくした保冷用収納装置を提供することを目的とする。
【０００６】
さらに、本発明は、冷却剤を従来に比べ、増量することで、さらに高い保冷効果を有する保冷用収納装置を提供することを目的とする。
【０００７】
【課題を解決するための手段】
本発明に係る保冷用収納装置は、上述したような目的を達成するため、断熱シートで形成され、可撓性を有するとともに、上面に内部に被収納体を収納するための開口部が形成された略矩形の収納体と、収納体の開口部を構成する背面側の開口端にヒンジ手段を介して着脱可能に設けられ、開口部を開閉する断熱材が内包された蓋体とを備え、収納体には、正面及び背面の内側に板状の断熱材が配設されるとともに、右側面及び左側面並びに底面の内側に着脱可能な状態で、板状の断熱材が配設され、底面と右側面及び底面と左側面を構成する断熱シート又は底面と正面及び底面と背面を構成する断熱シートは、それぞれが連続するシート体で構成され、それぞれのシート体は、底面で接合されてなる。
【０００８】
また、本発明に係る保冷用収納装置は、断熱シートで形成され、可撓性を有するとともに、上面に内部に被収納体を収納するための開口部が形成された略矩形の収納体と、収納体の開口部を構成する背面側の開口端にヒンジ手段を介して着脱可能に設けられ、開口部を開閉する断熱材が内包された蓋体とを備え、収納体には、正面及び背面の内側に板状の断熱材が配設されるとともに、右側面及び左側面並びに底面の内側に着脱可能な状態で、板状の断熱材が配設され、正面、底面及び背面、右側面、底面及び左側面、又は、正面、底面、背面、右側面及び左側面は、連続したシート体で構成されている。
【０００９】
本発明に係る保冷用収納装置は、組立・展開可能でかつ十分な断熱効果、保冷効果が得られるものである。また、冷気が外部に流出する箇所を減らすことにより、さらに高い保冷効果が得られるものである。さらに、蓋体が、着脱可能であるので、蓋体が損傷したときは、保冷用収納装置全体を交換することなく、蓋体のみを交換することができる。
【００１０】
また、本発明に係る保冷用収納装置を構成する収納体の右側面と左側面の内側に着脱可能に配設される断熱材は、正面及び背面の内側に配設される断熱材の内側の主面の周縁部に端面が当接するように配設されて好適である。
【００１１】
本発明に係る保冷用収納装置は、内面側に倒れ込もうとする背面及び正面の内側に配設された断熱材に対して、剛性を有する右側面及び左側面の内側に着脱可能に配設された断熱材が当接部により外側方向に支えるので、頑丈な側面を形成することができ、それぞれの断熱材の隙間を形成することなく密着させる。
【００１２】
さらに、本発明に係る保冷用収納装置を構成する正面、背面、右側面及び左側面の内側に配設される断熱材は、底面に配設される断熱材の端面に、それぞれの主面の周縁部が当接するように配設されて好適である。
【００１３】
本発明に係る保冷用収納装置は、底面部に設けられた断熱材が、被収納体の重量により変形した場合においても、側面に配設された断熱材との間に隙間を発生させることなく、良好な保冷効果が得られるものである。
【００１４】
また、本発明に係る保冷用収納装置を構成する収納体の開口部の正面又は背面側開口端の何れか一方には、可撓性を有する第１の帯状体によって保冷剤が取り付けられ、他方の開口端には、先端に、第１の帯状体と連結される連結具が設けられた第２の帯状体が設けられ、保冷剤は第１の帯状体と第２の帯状体が上記連結具によって連結されたとき開口部を跨ぐように吊り下げられて好適である。
【００１５】
本発明に係る保冷用収納装置を構成する第１の帯状体及び第２の帯状体は、蓋体に保冷剤の荷重をかけることなく、収納体上部に保冷剤を保持し、高い保冷効果を得ることができる。また、この保冷剤の荷重が側面に設けられた断熱材を密着させる方向に働くので、より高い保冷効果が得られる。
【００１６】
さらに、本発明に係る保冷用収納装置を構成する蓋体の内側には、保冷剤が配設されてもよい。第１の帯状体及び第２の帯状体により取付られる保冷剤と加えることでさらに、高い保冷効果が得られる。
【００１７】
さらにまた、本発明に係る保冷用収納装置を構成する収納体の右側面及び左側面には、断熱材を右側面及び左側面に密着保持させる差し込み部が設けられて好適である。
【００１８】
本発明に係る保冷用収納装置は、差し込み部に断熱材を挿入することで内部に空気が対流する隙間を発生させることなく各側面に密着保持させることができるので高い断熱効果が得られる。
【００１９】
また、本発明に係る保冷用収納装置を構成するヒンジ手段は、収納体の背面側開口端に設けられた第１の回動支持片と第２の回動支持片と、蓋体の背面側側縁に設けられた被取付片とを有し、蓋体は、この被取付片が第１及び第２の回動支持片によって挟み込まれ、面ファスナによって収納体に回動支持されてもよい。
【００２０】
さらに、本発明に係る保冷用収納装置を構成するヒンジ手段は、さらに、蓋体を収納体の上面との内角が鈍角をなすように保持する保持手段と、蓋体を、閉蓋時に収納体と密着させる密着手段とを有し、密着手段は、蓋体の正面側側縁、右側縁及び左側縁に設けられ、収納体の正面、右側面及び左側面の開口端を覆う舌片と、該舌片の内面に設けられた面ファスナからなり、蓋体の右側縁及び左側縁に設けられた舌片は、正面側側縁の延長方向に蓋体の正面側側縁に設けられた舌片に接合される接合片と該接合片の内面に面ファスナとが設けられ、保持手段は、蓋体の右側縁及び左側縁に設けられた舌片の背面側側縁の延長方向に延設され、収納体の右側面及び左側面の背面側に接合され、蓋体が開口部を開放する方向に傾倒することを防止する第１の回動規制片と、この第１の回動規制片に連続して設けられ、収納体の背面の開口端近傍の右側面側及び左側面側に接合され、蓋体が開口部を閉塞する方向に傾倒することを防止する第２の回動規制片とを有してもよい。
【００２１】
以上のように構成された本発明に係る保冷用収納装置は、密着手段により蓋体を収納体に完全に密着させることで高い保冷効果を得ることができる。また保持手段が、蓋体と収納体上面との内角を鈍角となすように保持できるので、被収納体の出し入れ時に、蓋体の開閉が容易であり、ヒンジ部を損傷するようなことはない。さらに、第１の回動規制片により、その開蓋保持角度を変更することができる。
【００２２】
【発明の実施の形態】
本発明を適用した保冷用収納装置１は、図１に示すように、断熱シートで形成され、可撓性を有するとともに、上面に内部に被収納体を収納するための開口部が形成された略矩形の収納体２と、この収納体２の開口部を構成する背面１１側の開口端５０にヒンジ手段１７を介して着脱可能に設けられ、開口部を開閉する断熱材が内包された蓋体３とを備える。
【００２３】
収納体２には、正面１２及び背面１１の内側に板状の断熱材３１，３２が配設されるとともに、右側面１４と左側面１３並びに底面１５の内側にそれぞれ着脱可能な状態で、板状の断熱材３３，３４，３５が配設される。
【００２４】
図２に示すように、この着脱可能な断熱材３３〜３５を取り付け、蓋体３を閉めることにより、保冷用収納装置１は、全面に断熱材を配した保冷効果を有する被収納体を収納できる状態となる。この状態で、ベルト５を取り付け、共通鍵６をすることにより、運搬中共通鍵６を有しない者が、蓋体３を開閉し、被収納体を取り出しできない状態とすることができる。また、共通鍵６を取り付けることは、複数の保冷用収納装置１の搬出、搬入の際に、この保冷用収納装置１の開封作業を行うユーザの作業上の手間を省くことができる。また、このベルト５には、相対向する一対の側面に取手７が取り付けてあるので、作業場から搬送車まで、運搬が容易である。蓋体の略中央に設けられたホルダ８には、被収納体の中身や、搬送先、搬送元等の情報が記載された伝票等を入れることができる。
【００２５】
また、図１、図３に示すように、着脱可能な断熱材３５を底面１５から取り外し、着脱可能な断熱材３３，３４を側面１１，１２から取り外し、側面１３，１４を側面略中央部で収納体２の内側に折り畳むことにより、保冷用収納装置１は、コンパクトなサイズに折り畳むことができ、被収納体を収納しない状態となる。このとき、取り外した断熱材３３〜３５は、折り畳まれた収納体２と蓋体３の間に挟持することができ、この状態でベルト５により小さく、持ち運びが簡単な状態とすることができる。
【００２６】
次に、この保冷用収納装置１の構成について図４〜図１９を用いて説明する。収納体２及び蓋体３は、その外側が例えばナイロン（商標）等の外装材からなり、内側が内部の冷気を外部に放出しないように断熱シートからなり、いずれも可撓性を有する。外装材として使用されるナイロンは、外部からの損傷に強く、搬送されることによる、地面との摩擦等による破れに対する耐久性を高める。
【００２７】
内側に使用される断熱シートは、例えば、断熱性を有するアルミ蒸着フィルムからなり、十分な可撓性を有するものである。このアルミ蒸着フィルムは、アルミフィルム、ポリエチレンテレフタラート（ＰＥＴ）、ポリエチレン（ＰＥ）クロスからなる３層構造である。尚、断熱シートとしては、アルミ蒸着フィルムを使用した他、アルミ箔フィルム等の断熱効果を有するフィルムを含めた、金属や樹脂を含むシート状の全てのものに対して素材の選定を任意に設定してもよい。
【００２８】
図４、図５に示すように、保冷用収納装置１の収納体２の底面１５と右側面２４及び底面１５と左側面２３を構成する断熱シートは、それぞれが連続するシート体２３，２４で構成され、それぞれのシート体２３，２４は底面１５で接合されてなる。ここでは、右側面１４及び左側面１３と底面１５が２枚のシート体を底面１５で接合されているが、正面１２及び背面１１と底面１５が２枚のシート体を底面１５で接合されていてもよい。
【００２９】
図４に示すように、この２枚のシート体２３，２４は、略同じ大きさであり、その縫い目４０は、底面１５の略中央で接合される。底面１５の略中央の縫い目４０で接合することは、左側面１３及び底面１５の間の境界線、右側面１４及び底面１５の間の境界線に、従来設けていた縫い目４１，４２を無くすことにより、縫い目の数を減らすことができ、さらに、縫い目から冷気が逃げることを防止することができ、保冷効果を高めることができる。
【００３０】
図６は、左側面１３，右側面１４及び底面１５の断面における冷気の外部への流出状態を示す図である。図６（ａ）は、この保冷用収納装置１の縫い目４０が底面１５の略中央に設けられた場合である。一方、図６（ｂ）は、この保冷用収納装置１に比較する例として、縫い目４１，４２がコーナ、すなわち、左側面１３及び底面１５の間の境界線、右側面１４及び底面１５の間の境界線に設けられた場合を示す。図６（ａ），（ｂ）において、矢印は冷気の流れを示す。
【００３１】
図６（ａ）に示すように、略中央にある縫い目４０を設けた場合は、保冷用収納装置１内の冷気が、底面１５に配置される断熱材３５の外側、すなわち正面側１２又は背面側１１を経由して、その後略中央にある縫い目４０から外部に逃げようとするため、図６（ｂ）に示す縫い目４１，４２がコーナに設けられた場合よりも縫い目の数を減らすと共に、冷気流出路を長くし、さらに収納物の重さで流出路を塞ぎ、冷気を逃げにくくする。よって、図６（ａ）に示すように、略中央にある縫い目を設けた場合は、外部に流出する冷気を少なくすることができ、保冷効果を長く保持することができる。尚、縫い目４０を無くし、左側面１３、底面１５及び右側面１４を構成する断熱シートを１枚のシート体からなるようにしてもよい。また、正面１２、底面１５及び背面１１を構成する断熱シートを１枚のシート体からなるようにしてもよい。
【００３２】
また、背面１１、正面１２を形成するシート体２１，２２は、底面１５と縫い目４３，４４により縫い合わされ、連結される。このとき背面１１、正面１２には、着脱しない板状の断熱材３１，３２が取り付けられるので、縫い目４３，４４を無くし、左側面１３、右側面１４及び底面１５が２枚のシート体を底面部１５の中央部で縫い付け、左側面１３、右側面１４を縫い目４１，４２で縫い付けるときよりも保冷効果を長く保持することができる。尚、縫い目４０〜４４を無くし、１枚のシート体から側面１１〜１４及び底面１５を成型してもよい。１枚のシート体から側面１１〜１４及び底面１５を成型するには、かなり大きなシート体が必要であり、且つ不要なものとして切り取られる部分も多くなるため、この保冷用収納装置１では、シート体２１〜２４を縫い目４０，４３，４４により収納体２の内側を形成する。この外側にナイロン等の外装材を配設することにより収納体２が形成される。
【００３３】
蓋体３に内包された断熱材３０、正面１２及び背面１１の内側に設けられた断熱材３２，３１及び着脱自在に設けられる断熱材３３〜３５には、例えば、コア材を外包材で収納しているクランパック（倉敷紡績株式会社製）等の真空断熱材が使用される。この真空断熱材は、断熱効率が高いため、保冷用収納装置１の保冷効率を高め、優れた保冷効果を与えることができる。
【００３４】
この真空断熱材３６は、外部からの損傷に弱いため、図１に示すように、一対のサポート材３７で挟持された後に、一対のサポート材３７の間隙に、軟質フォーム３８を設けた状態で断熱性を有するシート材３９により隙間ができないように包まれる。真空断熱材３６は、その全面をサポート材３７若しくは軟質フォーム３８により囲まれているので、外部から衝撃で真空断熱材３６が損傷することを防止することができる。また、断熱性を有するシート材３９に包まれた真空断熱材３６、サポート材３７、軟質フォーム３８は、隙間がないので、対流が発生せず、優れた断熱性を示す。
【００３５】
この軟質フォーム３８には、比較的定形性を有するポリエチレンフォーム等が用いられる。比較的定形性を有する材質を使う理由としては、柔らか過ぎる材料を使用した場合、隙間が発生して冷気が逃げてしまうからである。軟質フォームには、例えばソフトロンＳ（積水化学工業株式会社製）が用いられる。このソフトロンＳの性状は、タテ引張強さ：４２０ｋＰａ、ヨコ引張強さ：２９０ｋＰａ、タテ伸び：２０４％、ヨコ伸び：１６５％、圧縮強さ：（２５％）３４ｋＰａ、（５０％）９８ｋＰａ、（７５％）３２０ｋＰａである。このように、定形性を有する軟質フォームを使用した場合は、隙間が発生せず、良好な断熱効果を発揮する。
【００３６】
このサポート材３７は、真空断熱材３６より薄く、面積は僅かに大きい形状であり、例えば、ポリプロピレン（ＰＰ）、ポリエチレン（ＰＥ）、ＡＢＳ樹脂等からなっている。このサポート材３７は、真空断熱材３６への外面の衝撃を軽減することができる。
【００３７】
このシート材３９は、収納体２の内面を構成する断熱シートと同様、断熱性を有するアルミ蒸着フィルムからなる。このアルミ蒸着フィルムは、アルミフィルム、ポリエチレンテレフタラート（ＰＥＴ）、ポリエチレン（ＰＥ）クロスからなる３層構造である。尚、断熱シートとしては、アルミ蒸着フィルムを使用した他、アルミ箔フィルム等の断熱効果を有するフィルムを含めた、金属や樹脂を含むシート状の全てのものに対して素材の選定を任意に設定してもよい。
【００３８】
真空断熱材３６、サポート材３７及び軟質フォーム３８は、それぞれ剛性を有するものを使用するので、収納体２に挿入されたとき隣り合う断熱材との間に隙間を発生させず、冷気が隙間から逃げることを防止することができる。
【００３９】
図７、図８に示すように、左側面１３及び右側面１４には、断熱材３３，３４を着脱可能とし、密着保持するためのベルト状の差し込み部８３，８４が設けられる。この差し込み部８３は、左側面１３とこの左側面１３に設けられた仕切シート９３の間に形成される。また、差し込み部８４は、右側面１４とこの右側面１４に設けられた仕切シート９４の間に形成される。左側面１３と仕切シート９３の内面上部には、それぞれ装着する断熱材３３を固定するための面ファスナ１０１、１０２が設けられる。一方、断熱材３３には、この面ファスナ１０１と対をなす面ファスナ１０３及び面ファスナ１０２と対をなす面ファスナ１０４が設けられる。同様に、右側面１４と仕切シート９４の内面上部には、それぞれ装着する断熱材３４を固定するための面ファスナ１０５、１０６が設けられる。一方、断熱材３４には、この面ファスナ１０５と対をなす面ファスナ１０７及び面ファスナ１０６と対をなす面ファスナ１０８が設けられる。
【００４０】
断熱材３３は、差し込み部８３に挿入され、それぞれ対をなす面ファスナ１０１、１０３及び面ファスナ１０２、１０４を結合させることにより側面１３に隙間を発生させることなく装着される。また、断熱材３４は、差し込み部８４に挿入され、それぞれ対をなす面ファスナ１０５、１０７及び面ファスナ１０６、１０８を結合させることにより側面１４に隙間を発生させることなく装着される。
【００４１】
この差し込み部８３，８４は、断熱材３３，３４を内部空気が対流する隙間を発生させることなく装着できる大きさとして形成される。隙間を発生させることなく装着させる差し込み部８３，８４は、この断熱材３３，３４の効果を発揮させることができ、断熱効果を高めることができる。また、面ファスナ１０１〜１０８は、装着された断熱材３３，３４をそれぞれ左側面１３及び右側面１４に固定し、完全に隙間がない状態で密着保持することができる。この差し込み部８３，８４及び面ファスナ１０１〜１０８により断熱材３３，３４は、保冷用収納装置を組立、折り畳みを繰り返したときに、簡単且つ確実に隙間のない保冷用収納装置を組み立てることができる。
【００４２】
図８に示すように、背面１１及び正面１２の内側に設けられた板状の断熱材３１，３２は、組立、折り畳みのときには、取り外しすることはないが、同様にベルト状の差し込み部８１，８２が設けられる。この差し込み部８１は、図９に示すように、背面１１と左側面１３及び右側面１４に設けられた仕切シート９１の間に形成される。また、差し込み部８２は、左側面１３及び右側面１４に設けられた仕切シート９２の間に形成される。背面１１と仕切シート９１の内面上部には、それぞれ装着する断熱材３１を固定するための面ファスナ１０９，１１０が設けられる。一方、断熱材３１には、この面ファスナ１０９と対をなす面ファスナ１１１及び面ファスナ１１０と対をなす面ファスナ１１２が設けられる。同様に、正面１２と仕切シート９２の内面上部には、それぞれ装着する断熱材３２を固定するための面ファスナ１１３，１１４が設けられる。一方、断熱材３２には、この面ファスナ１１３と対をなす面ファスナ１１５及び面ファスナ１１４と対をなす面ファスナ１１６が設けられる。
【００４３】
断熱材３１は、差し込み部８１に挿入され、それぞれ対をなす面ファスナ１０９，１１１及び面ファスナ１１０，１１２を結合させることにより側面１１に隙間を発生させることなく装着される。また、断熱材３２は、差し込み部８２に挿入され、それぞれ対をなす面ファスナ１１３，１１５及び面ファスナ１１４，１１６を結合させることにより側面１２に隙間を発生させることなく装着される。
【００４４】
この差し込み部８１，８２は、断熱材３１，３２を内部空気が対流する隙間を発生させることなく装着できる大きさとして形成される。隙間を発生させることなく装着させる差し込み部８１，８２は、この断熱材３１，３２の効果を発揮させることができ、断熱効果を高めることができる。また、面ファスナ１０９〜１１６は、装着された断熱材３１，３２をそれぞれ背面１１及び正面１２に固定し、完全に隙間がない状態で密着保持することができる。
【００４５】
断熱材を保持する仕切シート９１は、その一方を仕切シート９３と共に左側面１３に固定され、他方を仕切シート９４と共に右側面１４に固定される。また、仕切シート９２は、その一方を仕切シート９３と共に左側面１３に固定され、他方を仕切シート９４と共に右側面１４に固定される。
【００４６】
図７〜図９に示すように、仕切シート９１〜９４の取付部は、通常時は取り外しされない断熱材３１，３２により、左側面１３及び右側面１４に密着される。よって、この継ぎ目から冷気が外部に放出されることを防ぐことができる。
【００４７】
また、図７に示すように、保冷用収納装置１では、折り畳みの際に断熱材を取り外さない、固定側の一対の背面１１及び前面１２の内面側に設けられた板状の断熱材３１，３２の内側の主面３１ａ，３２ａの周縁部３１ｂ，３１ｃ，３２ｂ，３２ｃに、折り畳みの際に断熱材を取り外す、着脱側の一対の左側面１３及び右側面１４の内面側に設けられた着脱可能に設けられた板状の断熱材３３，３４の端面３３ｂ，３３ｃ，３４ｂ，３４ｃが当接するように配設される。換言すると、背面１１に設けられた断熱材３１と正面１２に設けられた断熱材３２の内側に、左側面１３及び右側面１４に設けられた断熱材３３，３４が位置する。このように、内側に倒れ込もうとする背面１１及び正面１２及び断熱材３１，３２に対して、剛性を有する板状の断熱材３３，３４が当接部により外側方向に支えるので、断熱材３１〜３４は、堅牢な側面１１〜１４を形成することができ、換言すると断熱材３１〜３４のそれぞれの間に対流する隙間を形成することなく密着される。
【００４８】
正面１２、背面１１、右側面１４及び左側面１３の内側に配設される断熱材３１〜３４は、図７に示すように、底面１５に配設される断熱材３５の端面３５ａ，３５ｂ，３５ｃ，３５ｄに、それぞれの内面側の主面３１ａ，３２ａ，３３ａ，３４ａが当接するように配設される。換言すると、底面部１５に装着される断熱材３５は、側面１１〜１４に設けられた断熱材３１〜３４の内側に設けられる。
【００４９】
図１０（ａ）に示すように、断熱材３１〜３４の内側に設けられた断熱材３５は、図１０（ｂ）に示すように、断熱材３１〜３４が断熱材３５の上に配設された場合に比べて、各断熱材の間に空気が対流する隙間を形成することなく密着される。図１０（ｂ）に示すように、断熱材３１〜３４が断熱材３５の上に配設された場合には、被収納物の重量により、断熱材３５が変形してしまったときに、断熱材３１〜３４と断熱材３５の間に隙間６１が発生するおそれがある。保冷用収納装置１では、断熱材３５の外側に、断熱材３１〜３４が位置するように設けられるため、被収納体により断熱材３５が変形したときでも、断熱材３１〜３５の間に空気が対流する隙間を形成することなく密着させることができる。
【００５０】
収納体２の開口部の正面１２又は背面１１側開口端の何れか一方には、可撓性を有する第１の帯状体７１によって蓄冷材等の保冷剤７３が取り付けられる。また、他方の開口端には、先端に、第１の帯状体７１と連結される連結具７４が設けられた第２の帯状体７２が設けられる。また、第１の帯状体にもこれに対応する連結具７４が設けられる。保冷用収納装置１では、図１１、図１２、図１３に示すように、背面１１側開口端に第１の帯状体７１が設けられ、正面１２側開口端に第２の帯状体７２が設けられる。第１の帯状体７１及び第２の帯状体７２には、保冷剤７３を着脱するため保冷剤袋７５が設けられている。
【００５１】
このように、保冷剤７３は、背面１１側及び正面１２側に配設することができる。そして、保冷剤７３は第１の帯状体７１と上記第２の帯状体７２が連結具７４によって連結されたとき収納体２の開口部を跨ぐように吊り下げられる。すなわち、第１の帯状体７１及び第２の帯状体は、断熱材３１〜３４の内側に保冷剤７３を配置させることができる。このとき、第１の帯状体７１、第２の帯状体７２及び保冷剤７３は、底面部１５と略平行とされる。このように、吊り下げられた保冷剤７３は、収納体２内の上部に設けられ、冷却・保冷効果を考慮したとき最も効率のよい収納体上部に位置させることができる。
【００５２】
この第１の帯状体７１及び第２の帯状体７２は、通常であれば、蓋体３に設けられる保冷剤７３が、剛性を有する側面に保持されることで、蓋体３にかかる荷重を軽減することができるので、保冷用収納装置１の蓋体３の寿命を延ばすことが可能である。このように、保冷剤７３は、剛性を有する側面に保持される。すなわち、第１の帯状体７１及び第２の帯状体７２は、蓋体３に保冷剤の荷重をかけることなく、収納体２の高い位置に保冷剤７３を保持し、高い保冷効果を得ることができる。また、図１３に示すように、各保冷剤袋７５には、一又は複数の保冷剤７３を収納し、保持することができる。ここでは、各保冷剤袋７５に、それぞれ２個ずつの保冷剤が収納できるものである。
【００５３】
また、図１２に示すように、第１の帯状体７１は、保冷剤７３の荷重が背面に設けられた断熱材３１の内面側方向に働く。換言すると、断熱材３１を内面側方向に押圧する。さらに、第２の帯状体は、保冷剤７３の荷重が正面１２に設けられた断熱材３２の内面側方向に働く。換言すると、断熱材３２を内面側方向に押圧する。上述のように、背面１１に設けられた断熱材３１と正面１２に設けられた断熱材３２の内側に、左側面１３及び右側面１４に設けられた断熱材３３，３４が位置するので、この保冷剤７３の荷重による押圧力が、それぞれの断熱材を密着させる。よって、さらに、断熱材３１〜３４が密着保持され、高い保冷効果がえられる。
【００５４】
図１３、図１４に示すように、蓋体３は、収納体２の背面１１側の開口端にヒンジ手段１７を介して開閉可能に収納体２に取り付けられる。このヒンジ手段１７は、収納体２の背面側の開口端５０に設けられた第１の回動支持片である背面１１と、第２の回動支持片である接合補助片１６と、蓋体３の背面側側縁に設けられた被取付片５１とからなる。
【００５５】
蓋体３は、被取付片５１が背面１１及び接合補助片１６によって挟みこまれる。この被取付片５１には、内側及び外側の両面に面ファスナ１２１，１２２が設けられる。また、第１の回動支持片である背面１１の被取付片５１を挟み込む部分には、面ファスナ１２１と対をなす面ファスナ１２３が設けられる。さらに、第２の回動支持片である接合補助片１６の被取付片５１を挟み込む部分には、面ファスナ１２２と対をなす面ファスナ１２４が設けられる。
【００５６】
蓋体３に設けられた被取付片５１は、側面１１及び接合補助片１６に挟持され、面ファスナ１２１〜１２４を結合することにより、側面１１に接合され、ヒンジ部として機能する。接合補助片１６及び面ファスナ１２１〜１２４により、蓋体３は、開閉動作において高い耐久性を有する。保冷用収納装置１の蓋体３は、着脱可能であるので、蓋体３が損傷したときは、保冷用収納装置全体を交換することなく、蓋体３のみを交換することができる。
【００５７】
さらに、このヒンジ手段１７は、開蓋時に蓋体３を収納体２の上面との内角が鈍角をなすように保持する保持手段と、閉蓋時に蓋体３を収納体２と密着させる密着手段を備える。
【００５８】
この密着手段は、図１４に示すように、蓋体３の正面側側縁、右側縁及び左側縁に設けられ、収納体２の正面１２、左側面１３及び右側面１４の開口端を覆う舌片５２，５３，５４と、この舌片５２，５３，５４の内面に設けられた面ファスナ１２５，１２７，１２９からなる。また、正面１２には、この面ファスナ１２５と対をなす面ファスナ１２６が設けられる。左側面１３には、この面ファスナ１２７と対をなす面ファスナ１２８が設けられる。右側面１４には、この面ファスナ１２９と対をなす面ファスナ１３０が設けられる。
【００５９】
図１４、図１７に示すように、蓋体３の右側縁及び左側縁に設けられた舌片５３，５４は、正面側側縁の延長方向に正面側側縁に設けられた舌片５２に接合される接合片５９，６０とこの接合片５９，６０の内面に面ファスナ１３５，１３６とが設けられる。そして、収納体２の正面１２を覆う舌片５２の外面側には、この面ファスナ１３５，１３６と対をなす面ファスナ１３７，１３８が設けられる。
【００６０】
また、ヒンジ手段１７が備える保持手段は、蓋体３が開口部を開放する方向に傾倒することを防止する第１の回動規制片と、蓋体３が開口部を閉塞する方向に傾倒することを防止する第２の回動規制片とを有する。この第１の回動規制片は、図１４、１５に示すように、蓋体３の左側縁及び右側縁に設けられた舌片５３，５４の背面側側縁の延長方向に延設され、収納体２の左側面１３及び右側面１４の背面側に接合される接合片５５，５６である。また、第２の回動規制片は、この第１の回動規制片である接合片５５，５６に連続して設けられ、収納体２の側面１１の開口端近傍に設けられた接合補助片１６の左側面側及び左側面側に接合される接合片５７，５８である。
【００６１】
図１５、図１６（ａ）、図１７に示すように、第１の回動規制片である接合片５５，５６は、その内面側に、開蓋したときに、蓋体３が開口部を開放する方向、すなわち、開蓋方向に傾倒することを防止するための、接合片５５，５６を左側面１３及び右側面１４に密着させる面ファスナ１４１，１４２が設けられる。この面ファスナ１４１，１４２は、面ファスナ１２８，１３０の背面１１側の部分と対をなし、互いに接合されることで、接合片５５，５６を左側面１３及び右側面１４に固定させる。
【００６２】
また、第２の回動規制片である接合片５７，５８は、その内面側に、蓋体３が開口部を開放する方向、すなわち、閉蓋方向に傾倒することを防止するための、面ファスナ１４３，１４４が設けられる。そして、背面１１の開口端近傍に設けられた接合補助片１６の外面側には、この面ファスナ１４３，１４４と対をなす面ファスナ１４５，１４６が設けられる。
【００６３】
このように、本発明に係る保冷用収納装置１は、密着保持手段により、蓋体３を収納体２に完全に密着させ、断熱効果を高めることができ、よって保冷性能を高めることができる。尚、蓋体３の内側に、保冷剤を収納できるよう保冷剤袋を設けてもよい。この保冷剤袋により、保冷剤を増量することができるので、保冷用収納装置の保冷効果を高めることができる。
【００６４】
保持手段は、この面ファスナ１２８，１３０，１４１〜１４６を接合されることで、第１の回動規制片である接合片５５，５６を左側面１３及び右側面１４に固定させ、第２の回動規制片５７，５８を背面１１に固定させ、図１６（ａ）、図１８（ａ）に示すように、蓋体３を収納体２の上面との内角αで保持することができる。
【００６５】
第１の回動規制片である接合片５５，５６は、閉蓋時には、図１７に示すように、蓋体３を左側面１３及び右側面１４の開口端を覆う舌片５３，５４の接合片５５，５６側の端部と折り曲げられて重ね合わせられる。
【００６６】
また、第１の回動規制片である接合片５５，５６の形状を調整することで、保持された状態での蓋体３と収納体２上面との内角αを変更することができる。すなわち、図１８、図１９に示すように、接合片５５及び舌片５３の境界線及び接合片５５及び接合片５７の境界線の角度βを調整することにより、蓋体３と収納体２の上面との内角αを変更することができる。尚、このとき接合片５６も接合片５５と同様に形状を調整する。
【００６７】
図１６、図１８は、第１の回動規制片の接合片５５，５６の角度βを９０°、１２０°、１８０°に変更したときの、蓋体３が収納体２上面との内角αで保持されることを示す図である。図１８に示すように、蓋体３と収納体２上面の内角αは、βと同じ値となる。図１９は、接合片５５，５６の角度βを９０°、１２０°、１８０°に変更したときの、蓋体を分解した状態の舌片５３及び接合片５５，５７を示す図である。
【００６８】
このように、保持手段は、蓋体３を収納体２の上面との内角が鈍角をなすように保持することができるので、被収納体の出し入れの際に、蓋体の開閉が容易であり、さらに蓋体３のヒンジ部を損傷するようなことを防ぐことができる。また、第１の回動規制片の形状を調整することにより、蓋体と収納体上面との保持する内角αの角度を変更することができる。さらに、この角度を９０°〜１２０°の範囲に設定することで狭い場所での被収納体の出し入れする作業を可能とする。
【００６９】
尚、図１５に示す状態で接合片５５の取付状態を調整することで回動範囲を変更することができる。すなわち、接合片５５を蓋体３の開蓋方向に傾斜して取り付けることで、その傾斜させた分だけ、第１の回動規制片で設定した角度より余分に収納体上面との内角を増やした状態で開蓋保持することができる。
【００７０】
次に、この保冷用収納装置１に、被収納体を収納する手順について説明する。
【００７１】
まず、図３に示すような、折り畳まれた状態で、ベルト５を外し、収納体２を組み立てる。収納体２の、背面１１及び正面１２を離間する方向に移動させ、左側面１３、右側面１４及び底面１５の内側に折り畳まれている部分を真っ直ぐとなるようにする。そして、図８に示すように、収納体２の左側面１３及び右側面１４のベルト状差し込み部８３，８４に断熱材３３，３４を差し込んで取り付ける。この、左側面１３及び右側面１４に剛性を有する断熱材３３，３４を配設され、各側面全面に断熱材を取り付けた状態で、底面１５に断熱材３５を取り付ける。
【００７２】
次に、蓋体３を収納体２に取り付ける。図１４に示すように、蓋体３の被取付片５１は、収納体２の背面１１と接合補助片１６の間に挟まれ、面ファスナ１２１及び面ファスナ１２３並びに面ファスナ１２２及び面ファスナ１２４を結合させることにより、蓋体３は、収納体２に取り付けられる。さらに、図１５に示すように、面ファスナ１４１，１２８及び面ファスナ１４２，１３０が密着されることにより、接合片５５及び５６は、左側面１３及び右側面１４に固定され、蓋体３は開蓋状態とされる。また、図１６（ａ）に示すように、面ファスナ１４３、１４５及び面ファスナ１４４，１４６が密着されることにより、接合片５７，５８は、背面１１に固定される。このように、第１の回動規制片である接合片５５，５６及び第２の回動規制片である接合片５７，５８が蓋体３を収納体２の上面との内角が鈍角をなすように保持できるので、被収納体の収納体２への出し入れが容易となる。
【００７３】
ここでは、被収納体を収納する前に、蓋体３を収納体２に取り付け、開蓋状態としたが、蓋体３が収納体２に取り外された状態で、被収納体９を収納し、蓋体３を閉めるときに収納体２に取り付けても良い。
【００７４】
第１の帯状体７１と第２の帯状体７２は、保冷剤７３を収納し、連結具７４が外された状態で、収納体２の内側に吊り下げられる。この状態で、図１３に示すように、収納体２に被収納体９が収納される。このとき、第１の帯状体７１及び第２の帯状体７２は、被収納体９が収納体２と略同等の大きさであるときに、収納する際に邪魔になるときは、外側に移動させてもよい。すなわち、被収納体９を収納するとき、第１の帯状体７１と第２の帯状体７２は、収納体２の外側に吊り下げられてもよい。
【００７５】
次に、内側に吊り下げられていた第１の帯状体７１及び第２の帯状体７２を連結具７４を連結させることで、図１３に示すように、第１の帯状体７１及び第２の帯状体７２は、収納体２の開口部を跨ぐように吊り下げられる。
【００７６】
この状態で、蓋体３は、回動されて収納体２の開口部を覆う。図１７に示すように、面ファスナ１２７，１２８及び面ファスナ１２９，１３０並びに面ファスナ１２５，１２６を結合させることにより、舌片５３，５４，５２は、それぞれ、左側面１３、右側面１４及び正面１２に密着される。このとき、左側面１３及び右側面１４に密着されて開蓋保持していた第１の回動規制片である接合片５５，５６の端部は、図１７に示すように、左側面１３及び右側面１４から分離され、舌片５３，５４の端部と折り曲げられて重ね合わされる。そして、面ファスナ１３５〜１３８をそれぞれ、結合させることにより、密着手段である接合片５９，６０が舌片５２に接合され、舌片５２，５３，５４は、左側面１３及び右側面１４にさらに密着し、すなわち、蓋体３と収納体２の密着性を高める。
【００７７】
このように、保冷用収納装置１は、収納体２及び蓋体３の内面全面に断熱材を配設し、しかも収納体２を構成するシート体の縫い目の数を減らしたことにより、縫い目から冷気が逃げることを防止できるので、高い保冷効果を有する。
【００７８】
また、保冷用収納装置１は、被収納体９を断熱材を有する正面１２、背面１１、左側面１３、右側面１４、底面１５及び蓋体３の６面全面で包囲し、舌片５２，５３，５４により、蓋体３を収納体２に密着させたので、高い断熱性能を有し、また、収納体２内部の高い位置、すなわち上部に、保冷剤７３を保持することができるので、保冷剤７３から発生する冷気は、効率的に保冷用収納装置１全体に拡がり、高い保冷効果を有する。
【００７９】
次に、この保冷用収納装置１を、分解するときの手順について説明する。
【００８０】
まず、面ファスナ１３５〜１３８を分離させることで接合片５９，６０を蓋体３の正面から取り外す。また、面ファスナ１２５〜１３０を分離させることで、舌片５２，５３，５４を収納体２の正面１１、左側面１３及び右側面１４から取り外す。この状態で、蓋体３は、ヒンジ部により回動され、図１６に示すように、接合片５５〜５８により、開蓋状態で保持される。
【００８１】
次に、収納体２の開口部を跨ぐように吊り下げられる第１の帯状体７１及び第２の帯状体７２の連結具７４を分離することで、第１の帯状体７１と第２の帯状体７２を分離して、さらに、各々の保冷剤７３を取り外す。また、被収納体９を収納体２の外部に取り出す。次に、面ファスナ１４１，１２８，１４２，１３０を分離し、面ファスナ１４３〜１４６を分離し、面ファスナ１２１〜１２４を分離することで、蓋体３は、収納体２から分離される。
【００８２】
次に、断熱材３５を底面１５から取り外し、断熱材３３、３４を左側面１３及び右側面１４部のベルト状差し込み部８３，８４から取り外す。この状態で、左側面１３及び右側面１４並びに底面１５を内面側に折り曲げて、背面１１及び正面１２を近接する方向に、移動させることで、収納体２を折り畳むことができる。そして、この折り畳まれた収納体２は、図３に示すように、蓋体３及び取り外した断熱材３３，３４，３５と共に、ベルト５により結わえられ、一体とすることができる。よって、収納体２は、被収納体９を収納しないときは、コンパクトサイズに折り畳むことができ、持ち運びも便利となる。
【００８３】
このとき、正面１２及び背面１１の断熱材３１，３２を取り外さないことにより、折り畳んだ状態であっても、型くずれすることなく、安定した形状とすることができ、持ち運びしやすくできる。
【００８４】
このように、保冷用収納装置１は、組立、折り畳みが可能であり、且つ冷気が外に逃げにくく、保冷効果を高くすることができる。また、ヒンジ部の強度を高め、蓋部にかかる荷重を軽減することで、ヒンジ部の劣化を少なくすることができる。さらに、この保冷用収納装置は、冷却剤を従来に比べ、増量することができ、さらに高い保冷効果が得られる。
【００８５】
また、この保冷用収納装置は、断熱材が密着するように配設することができ、さらに、蓋体の密着手段が保冷用収納装置の内部と外部を完全に遮断することができるので、高い断熱効果が得られる。
【００８６】
さらに、この保冷用収納装置は、側面部に断熱材を密着保持させる差し込み部が設けられているので、剛性を有する断熱材が常に隙間なく組立てられ、内部と外部を完全に遮断することができるので、高い断熱効果が得られる。また、ユーザの熟練度によらず、簡単に精度高く組立てることができ、常に高い断熱効果が得られる。
【００８７】
また、この保冷用収納装置は、蓋体の着脱が可能であるので、蓋体が損傷したときに、保冷用収納装置全体を交換する必要がなく、蓋体のみの交換が可能である。さらに、この保冷用収納装置は、蓋体と収納体上面との内角を鈍角をなすように保持することができるので、被収納体の出し入れ時に、蓋体の開閉が容易であり、また、第１の回動規制片により、その開蓋保持角度を変更することができる。
【００８８】
【発明の効果】
上述のように、本発明に係る保冷用収納装置は、収納体と蓋体を密着させることができるので、保冷用収納装置の保冷効果を十分に発揮することができ、さらに、断熱材を取り外すことで、コンパクトサイズに折り畳むことが可能である。また、収納体を形成する断熱シートの縫い目を減らすことにより外部に放出する冷気を減らすことができ、保冷効果を高めることができる。さらに、蓋体ヒンジ部の強度を高め、耐久性が増したので、長期間使用することができ、また、蓋体のみの交換も可能とする。
【００８９】
また、本発明は、挿入される保冷剤の荷重が蓋体にかかることがないので、蓋体の損傷等の劣化する時間を遅くすることができ、保冷用収納装置の寿命を長くすることができる。さらに、保冷剤を側面で支持する帯状体及び蓋体に装着することで、従来収納した保冷剤より多くの保冷剤を装着することができ、長期間保冷効果を保持することができる。
【００９０】
さらに、本発明は、断熱材の隙間を無くすことができ、さらに、荷重により断熱材が変形した場合においても、従来に比べ発生する隙間を最小限にとどめることができるので、保冷効果を十分に発揮することができる。また、保冷剤の荷重が断熱材の隙間を無くす方向に働くので、さらに、効果的な保冷効果が得られる。
【００９１】
また、本発明は、側面部に断熱材を密着保持させることができるので、剛性を有する断熱材が常に隙間なく組立てられ、内部と外部を完全に遮断することができるので、さらに高い断熱効果が得られる。また、ユーザの熟練度によらず、簡単に精度高く組立てることができ、常に高い断熱効果が得られる。
【００９２】
また、本発明に係る保冷用収納装置は、蓋体の着脱が可能であるので、蓋体が損傷したときに、保冷用収納装置全体を交換する必要がなく、蓋体のみの交換が可能である。
【００９３】
さらに、本発明は、蓋体と収納体上面との内角を鈍角をなすように保持することができるので、被収納体の出し入れ時に、蓋体の開閉が容易であり、また、第１の回動規制片により、その開蓋保持角度を変更することができる。
【図面の簡単な説明】
【図１】本発明を適用した保冷用収納装置の分解斜視図である。
【図２】本発明を適用した保冷用収納装置の被収納体を収納する状態を示す斜視図である。
【図３】本発明を適用した保冷用収納装置の被収納体を収納しないときの折り畳んだ状態を示す斜視図である。
【図４】本発明を適用した保冷用収納装置を構成する収納体及び蓋体の断熱シートの縫い付け前の状態を示す斜視図である。
【図５】本発明を適用した保冷用収納装置を構成する収納体及び蓋体の断熱シートの縫い付け後の状態を示す斜視図である。
【図６】（ａ）本発明を適用した保冷用収納装置を構成する収納体の断熱シートから冷気が流出する状態を示す図である。
（ｂ）本発明を適用した保冷用収納装置と比較するための比較例の保冷用収納装置を構成する収納体の断熱シートから冷気が流出する状態を示す図である。
【図７】本発明を適用した保冷用収納装置の側面に断熱材が装着された状態を示す平面図である。
【図８】本発明を適用した保冷用収納装置の相対向する右側面及び左側面に設けられた着脱可能な断熱材を取り外した状態を示す平面図である。
【図９】本発明を適用した保冷用収納装置の側面に設けられる断熱材を装着するための差し込み部を示す平面図である。
【図１０】（ａ）本発明を適用した保冷用収納装置の底面に設けられた断熱材が被収納体の荷重により変形したことを示す斜視図である。
（ｂ）本発明を適用した保冷用収納装置と比較する比較例の保冷用収納装置の底面に設けられた断熱材が被収納体の荷重により変形したことを示す斜視図である。
【図１１】本発明を適用した保冷用収納装置の保冷剤を取り付ける帯状体の取り付け状態を示す斜視図である。
【図１２】本発明を適用した保冷用収納装置の相対向する第１の帯状体及び第２の帯状体の連結具を連結させた状態を示す斜視図である。
【図１３】本発明を適用した保冷用収納装置の断面図である。
【図１４】本発明を適用した保冷用収納装置の蓋体を取り外した状態を示す斜視図である。
【図１５】本発明を適用した保冷用収納装置の蓋体を取り付ける状態を示す斜視図である。
【図１６】（ａ）本発明を適用した保冷用収納装置の第１の回動規制片の角度βを９０°としたときの蓋体の開蓋状態を示す斜視図である。
（ｂ）本発明を適用した保冷用収納装置の第１の回動規制片の角度βを１２０°としたときの蓋体の開蓋状態を示す斜視図である。
（ｃ）本発明を適用した保冷用収納装置の第１の回動規制片の角度βを１８０°としたときの蓋体の開蓋状態を示す斜視図である。
【図１７】本発明を適用した保冷用収納装置の蓋体の閉蓋動作を示す斜視図である。
【図１８】（ａ）本発明を適用した保冷用収納装置の第１の回動規制片の角度βを９０°としたときの蓋体の開蓋状態を示す左側面図である。
（ｂ）本発明を適用した保冷用収納装置の第１の回動規制片の角度βを１２０°としたときの蓋体の開蓋状態を示す左側面図である。
（ｃ）本発明を適用した保冷用収納装置の第１の回動規制片の角度βを１８０°としたときの蓋体の開蓋状態を示す左側面図である。
【図１９】（ａ）本発明を適用した保冷用収納装置の第１の回動規制片の角度βを９０°としたときの蓋体の左側縁に設けられた舌片、第１の回動規制片及び第２の回動規制片の分解された状態を示す図である。
（ｂ）本発明を適用した保冷用収納装置の第１の回動規制片の角度βを１２０°としたときの蓋体の左側縁に設けられた舌片、第１の回動規制片及び第２の回動規制片の分解された状態を示す図である。
（ｃ）本発明を適用した保冷用収納装置の第１の回動規制片の角度βを１８０°としたときの蓋体の左側縁に設けられた舌片、第１の回動規制片及び第２の回動規制片の分解された状態を示す図である。
【符号の説明】
１  保冷用収納装置、  ２  収納体、  ３  蓋体、  １１  背面、  １２  正面、  １３  左側面、  １４  右側面、  １５  底面、  ３０〜３５  断熱材、
【図１】
2005008167.tif 000003
【図２】
2005008167.tif 000004
【図３】
2005008167.tif 000005
【図４】
2005008167.tif 000006
【図５】
2005008167.tif 000007
【図６】
2005008167.tif 000008
【図７】
2005008167.tif 000009
【図８】
2005008167.tif 000010
【図９】
2005008167.tif 000011
【図１０】
2005008167.tif 000012
【図１１】
2005008167.tif 000013
【図１２】
2005008167.tif 000014
【図１３】
2005008167.tif 000015
【図１４】
2005008167.tif 000016
【図１５】
2005008167.tif 000017
【図１６】
2005008167.tif 000018
【図１７】
2005008167.tif 000019
【図１８】
2005008167.tif 000020
【図１９】
2005008167.tif 000021